(57)【要約】【課題】一列の各端子を相手側ユニットに迅速且つ確実に挿入させる。【解決手段】複数の直線的に配列された端子８，９を端子並び直交方向に位置矯正する一対の杆部２５を備える端子配列矯正治具２４を採用する。一対の杆部２５を端子挟み方向に開閉自在とする。接続箱本体２の壁部１９に一対の杆部２５を挿通させる部分２３を設けた。一対の杆部２５を開き、一対の杆部の間に各端子８，９を挿入させ、一対の杆部を閉じて端子を挟み方向に配列矯正する。端子８，９の配列を矯正した状態で、相手側ユニット３に各端子８，９を初期挿入させ、一対の杆部２５を開き、一対の杆部を端子から離脱させ、相手側ユニット３に各端子８，９を完全挿入させる。【選択図】      図１
2004357461.tif 000002
【特許請求の範囲】
【請求項１】
複数の直線的に配列された端子を端子並び直交方向に位置矯正する一対の杆部を備えることを特徴とする端子配列矯正治具。
【請求項２】
前記一対の杆部が端子挟み方向に開閉自在であることを特徴とする請求項１記載の端子配列矯正治具。
【請求項３】
前記一対の杆部に、前記端子に対するテーパ状のガイド面が形成されたことを特徴とする請求項１又は２記載の端子配列矯正治具。
【請求項４】
前記一対の杆部が、開閉駆動手段と、端子配列方向及び／又は端子長手方向への進退駆動手段とで操作されることを特徴とする請求項１〜３の何れか１項に記載の端子配列矯正治具。
【請求項５】
接続箱本体の壁部に、請求項１〜４の何れか１項に記載の端子配列矯正治具の一対の杆部を挿通させる部分が該接続箱本体内の前記端子の配列延長方向に設けられたことを特徴とする端子配列矯正可能な電気接続箱。
【請求項６】
前記端子がタブ状及び／又はピン状の端子であり、少なくともタブ状の端子が板幅方向に配列されたことを特徴とする請求項５記載の端子配列矯正可能な電気接続箱。
【請求項７】
請求項１〜４の何れか１項に記載の端子配列矯正治具を用いた端子配列矯正方法であって、前記一対の杆部を端子配列矯正の最大許容寸法に開き、該一対の杆部の間に前記直線的に配列された端子を挿入させることを特徴とする端子配列矯正方法。
【請求項８】
請求項１〜４の何れか１項に記載の端子配列矯正治具を用いた端子配列矯正方法であって、前記一対の杆部を開き、該一対の杆部の間に前記直線的に配列された端子を挿入させ、該一対の杆部を閉じて該一対の杆部で該端子を挟み方向に配列矯正することを特徴とする端子配列矯正方法。
【請求項９】
請求項７又は８記載の端子配列矯正方法を用いた端子挿入方法であって、前記一対の杆部で前記端子の配列を矯正した状態で、相手側ユニットに該端子を初期挿入させ、該一対の杆部を開き、該一対の杆部を該端子から離脱させ、該相手側ユニットに該端子を完全挿入させることを特徴とする端子挿入方法。
【請求項１０】
請求項５又は６記載の端子配列矯正可能な電気接続箱に前記相手側ユニットを装着する際に前記一対の杆部で端子配列矯正を行わせることを特徴とする請求項９記載の端子挿入方法。
【発明の詳細な説明】
【０００１】
【発明の属する技術分野】
本発明は、例えば電気接続箱の組立等において一列の各端子の倒れを矯正して相手コネクタ等を一列の各端子に干渉なくスムーズに接続等させることのできる端子配列矯正治具と端子配列矯正可能な電気接続箱及び端子配列矯正方法並びに端子挿入方法に関するものである。
【０００２】
【従来の技術】
図１４は従来の電気接続箱を示すものである（例えば特許文献１参照）。
この電気接続箱４１は、合成樹脂製のケース４２と、ケース４２内に収容される回路（図示せず）と、回路に続き、ケース４２の外側の収容凹部４３内に一列に突出する複数の雄端子４４と、収容凹部４４内に装着される回路基板（相手側ユニット）４５と、回路基板４５の回路に接続されて一列に配置され、雄端子４４に接続される複数の雌端子４６とを備えるものである。
【０００３】
回路基板４５には周囲に複数の位置決め用の凹部４７が形成され、ケース４２の収容凹部４３内に、凹部４７に対する係合用の凸部４８や、回路基板４５に押接する凸部４９が設けられている。回路基板４５はその凹部４７を凸部４８に係合させつつ収容凹部４３内に装着される。それと同時に雄端子４４が雌端子４６内に挿入されてケース４２側の回路と回路基板４５とが相互に接続される。回路基板４５には図示しない電子部品等が配置されると共に、雄端子４４に対する挿通孔が設けられている。
【０００４】
【特許文献１】
特開平１０−１９０２５６号公報（頁３、図１）
【０００５】
【発明が解決しようとする課題】
しかしながら、上記従来の構造にあっては、特に雄端子４４が長い場合において、雄端子４４が板厚方向（端子並び直交方向）に倒れやすく、その場合に回路基板４５の雄端子挿通孔に雄端子４４が挿入されず、雄端子４４の先端が回路基板４５に突き当たってケース４２への回路基板（相手側ユニット）４５の装着ができなくなったり、あるいは雌端子４６に対する心ずれを起こして雄端子４４と雌端子４６の電気的接続の信頼性が低下したりし兼ねないという懸念があった。
【０００６】
本発明は、上記した点に鑑み、たとえ雄端子が長く、並び直交方向の倒れを生じやすい場合でも、相手側ユニットにスムーズ且つ確実に挿入及び接続させることのできる端子配列矯正治具と端子配列矯正可能な電気接続箱及び端子配列矯正方法並びに端子挿入方法を提供することを目的とする。
【０００７】
【課題を解決するための手段】
上記目的を達成するために、本発明の請求項１に係る端子配列矯正治具は、複数の直線的に配列された端子を端子並び直交方向に位置矯正する一対の杆部を備えることを特徴とする。
上記構成により、一対の杆部の間に端子挿入用のスリットが構成され、スリットに各端子を挿通させることで各端子の並び直交方向の倒れが矯正される。あるいは、一対の杆部で各端子を並び直交方向に把持可能となり、各端子を挟む（少なくとも倒れを生じた端子のみが両側から挟まれる）ことで端子の並び直交方向の倒れが矯正される。
【０００８】
請求項２に係る端子配列矯正治具は、請求項１記載の端子配列矯正治具において、前記一対の杆部が端子挟み方向に開閉自在であることを特徴とする。
上記構成により、一対の杆部の間の隙間を所要の寸法（例えば端子の最大倒れ許容値あるいは倒れゼロ）に調整可能となる。また、一対の杆部の間の隙間を自在に調整することができ、各種形状大きさの端子に容易に対応可能となる。一対の杆部で各端子を並び直交方向に把持可能となり、各端子を挟むことで端子の並び直交方向の倒れが矯正されることは言うまでもない。
【０００９】
請求項３に係る端子配列矯正治具は、請求項１又は２記載の端子配列矯正治具において、前記一対の杆部に、前記端子に対するテーパ状のガイド面が形成されたことを特徴とする。
上記構成により、一対の杆部の間のスリットに各端子を挿入させる際に、テーパ状のガイド面が各端子をスリット内にスムーズに案内する。あるいは、一対の杆部を開いて各端子の並び直交方向両側に進入させる際に、端子との干渉なく、一対の杆部がスムーズに進入する（一対の杆部の間に各端子がスムーズに挿入される）。
【００１０】
請求項４に係る端子配列矯正治具は、請求項１〜３の何れか１項に記載の端子配列矯正治具において、前記一対の杆部が、開閉駆動手段と、端子配列方向及び／又は端子長手方向への進退駆動手段とで操作されることを特徴とする。
上記構成により、一対の杆部が開閉駆動手段で端子並び直交方向に開閉され、第一の進退駆動手段で端子並び方向に進退される。第一の進退駆動手段に代えて第二の進退駆動手段で一対の杆部を端子長手方向に進退させてもよい。一対の杆部を第二の進退駆動手段で昇降させた後、第一の進退駆動手段で端子並び方向に前進させることも可能である。最良の形態としては、一対の杆部を開閉駆動手段で開き、その状態で第一又は第二の進退駆動手段で一対の杆部を前進させて各端子の両側に位置させ、次いで開閉駆動手段で閉じて配列矯正させ、再度一対の杆部を開き、進退駆動手段で後退させるようにするのがよい。
【００１１】
請求項５に係る端子配列矯正可能な電気接続箱は、接続箱本体の壁部に、請求項１〜４の何れか１項に記載の端子配列矯正治具の一対の杆部を挿通させる部分が該接続箱本体内の端子の配列延長方向に設けられたことを特徴とする。
上記構成により、接続箱本体の壁部の切欠孔や貫通孔等の治具挿通部分から電気接続箱内に一対の杆部を挿通させて、接続箱本体内の直線的に配列された各端子の倒れを一対の杆部で矯正することができる。接続箱本体の治具挿通部分への一対の杆部の挿通方向は杆部の先端から杆部長手方向に進入させてもよく、あるいは杆部長手直交方向に挿通させてもよい。接続箱本体内の各端子は回路基板の孔部に挿通されたり、相手コネクタの端子等にスムーズ且つ確実に接続される。
【００１２】
請求項６に係る端子配列矯正可能な電気接続箱は、請求項５記載の端子配列矯正可能な電気接続箱において、前記端子がタブ状及び／又はピン状の端子であり、少なくともタブ状の端子が板幅方向に配列されたことを特徴とする。
上記構成により、タブ状の各端子が一対の杆部で板厚方向に挟まれたり、あるいは倒れた端子のみが倒れ側の杆部で起こされて配列矯正される。このようにして、複数のタブ状（平板状）端子の板厚方向の倒れ矯正を一対の杆部で同時に行うことができる。
【００１３】
請求項７に係る端子配列矯正方法は、請求項１〜４の何れか１項に記載の端子配列矯正治具を用いた端子配列矯正方法であって、前記一対の杆部を端子配列矯正の最大許容寸法に開き、該一対の杆部の間に前記直線的に配列された端子を挿入させることを特徴とする。
上記構成により、予め所定寸法に開かれた一対の杆部の間に各端子を挿入（挿通）させることで（各端子の並び直交方向両側に沿って一対の杆部を位置させることで）、端子の倒れが最大許容寸法に矯正される。最大許容寸法とは端子の倒れが許容される限度の値であり、最大許容寸法内の倒れであれば端子が例えば相手側の孔部や相手側の端子内に引っ掛かりなく挿入される。一対の杆部は全ての端子を挟むことはなく、倒れを生じた端子のみを挟み方向に倒れ矯正する。
【００１４】
請求項８に係る端子配列矯正方法は、請求項１〜４の何れか１項に記載の端子配列矯正治具を用いた端子配列矯正方法であって、前記一対の杆部を開き、該一対の杆部の間に前記直線的に配列された端子を挿入させ、該一対の杆部を閉じて該一対の杆部で該端子を挟み方向に配列矯正することを特徴とする。
上記構成により、一対の杆部が無接触で各端子の並び直交方向両側に位置し、一対の杆部が閉じ方向に移動して倒れた端子を真直に矯正する。一対の杆部の閉じ量は全ての端子に押接するまで閉じてもよく、あるいは倒れを生じた端子のみに杆部を押接させて端子を最大許容寸法に倒れ矯正するまで閉じてもよい。端子が矯正された状態で相手ユニットが組付ないし接続され、その後、一対の杆部を開いて各端子から離脱させることが端子の傷付き防止等の上から好ましい。
【００１５】
請求項９に係る端子挿入方法は、請求項７又は８記載の端子配列矯正方法を用いた端子挿入方法であって、前記一対の杆部で前記端子の配列を矯正した状態で、相手側ユニットに該端子を初期挿入させ、該一対の杆部を開き、該一対の杆部を該端子から離脱させ、該相手側ユニットに該端子を完全挿入させることを特徴とする。
上記構成により、一対の杆部で各端子が倒れ矯正された状態に保持され、その状態で相手ユニットの装着が開始され、各端子が相手側ユニットに引っ掛かり等なくスムーズ且つ確実に初期挿入される。相手側ユニットとしては例えば相手端子を有するコネクタや、端子挿通孔を有する回路基板や、コネクタを含む回路基板等が上げられる。一対の杆部は離脱時に開くから、各端子と無用な摺接を起こすことがない。一対の杆部を各端子から離脱させても、各端子は相手側ユニットに初期挿入されているから、そのまま相手側ユニットを端子長手方向に押すことで各端子が相手側ユニットに完全挿入される。
【００１６】
請求項１０に係る端子挿入方法は、請求項９記載の端子挿入方法において、請求項５又は６記載の端子配列矯正可能な電気接続箱に前記相手側ユニットを装着する際に前記一対の杆部で端子配列矯正を行わせることを特徴とする。
上記構成により、接続箱本体の治具挿通部から一対の杆部が挿通されて、接続箱本体内の直線的に配列された各端子が一対の杆部で倒れ矯正され、その状態で相手側ユニットが各端子と干渉せずに接続箱本体側にスムーズに初期装着される。各端子は相手側ユニットに初期挿入されているから、そのまま相手側ユニットを端子長手方向に押すことで各端子が相手側ユニットに完全挿入される。
【００１７】
【発明の実施の形態】
以下に本発明の実施の形態を図面に基づいて詳細に説明する。
図１〜図１１は、本発明に係る端子配列矯正治具と端子配列矯正可能な電気接続箱及び端子配列矯正方法並びに端子挿入方法の一実施形態を示すものである。
【００１８】
図１の如く、電気接続箱１は接続箱主体部２と、接続箱主体部２に装着される回路基板組立体（相手側ユニット）３とを備えている。
【００１９】
接続箱主体部２は、合成樹脂製のケース（接続箱本体）４と、ケース４内に収容された複数枚の配線板（図示せず）と、ケース４の一端側に配置されたヒューズ装着部５と、ケース４の収容凹部６の底壁をなす合成樹脂製のほぼ平板状の中間カバー７とを備えている。
【００２０】
配線板（図示せず）には回路としてバスバーや電線が配索され、バスバーに続くヒューズ接続用の端子がヒューズ装着部５内に突出し、ヒューズ（図示せず）を側方から装着接続可能となっている。また、バスバーや電線に続くタブ状やピン状の複数の雄端子８，９が中間カバー７の広めの挿通部を貫通して収容凹部６内に一列に突出している。各雄端子８，９はタブ状やピン状といった種類ごとに等ピッチで配列され、同じ高さで垂直方向に長く突出されている。
【００２１】
回路基板組立体３は、合成樹脂製の水平な絶縁基板１０と、絶縁基板１０の表面に立設されたコネクタ１１と絶縁樹脂製のコネクタハウジング１２と、絶縁基板１０に主要パターンで形成されたプリント回路や、表面実装された電子部品等を備えて、例えば自動車用の電子制御ユニットとして作用する。絶縁基板１０と回路とで回路基板１３が構成されている。
【００２２】
コネクタ１１は横長の絶縁樹脂製のハウジング１４の内部に弾性接触片を有する複数の雌端子１５（図７）を横一列に収容して構成され、各雌端子１５は回路基板１３の回路にハンダ付け等で接続されている。他方のコネクタハウジング１２はコネクタ嵌合室内に接続箱主体部２側の雄端子（図示せず）を収容して、外部ワイヤハーネス等を接続するコネクタを構成する。
【００２３】
絶縁基板１０には雄ねじ挿通孔が設けられ、中間カバー７には基板固定用のボス部１６に雄ねじ螺合孔が設けられている。コネクタ１１の下側で絶縁基板１０に複数の雄端子挿通孔１７（図７）が一列に設けられ、端子挿通孔１７に対応して中間カバー７に雄端子挿通用の広めのスリット（挿通部）を有する雄端子支持用の突出部１８が設けられている。
【００２４】
ケース４の収容凹部６は四方を壁部１９〜２２で囲まれて構成され、ヒューズ装着部５とは反対側の壁部１９において雄端子８，９の並び延長方向に略矩形状の切欠孔２３が設けられ、切欠孔２３から収容凹部６内に端子配列矯正治具２４を挿通可能となっている。切欠孔２３は治具挿通部として作用する。この電気接続箱１は端子配列矯正治具２４を挿通させるための切欠孔２３を有することを特徴としている。
【００２５】
雄端子８，９の突出高さは切欠孔２３側の壁部１９よりも高く、側方の壁部２０，２１とほぼ同じ高さである。ケース４の収容凹部６側には回路基板組立体３を収容した後、合成樹脂製のカバー（図示せず）が装着される。
【００２６】
端子配列矯正治具２４は左右一対の水平方向の真直な長形の杆部２５を備え、各杆部２５の基部は矩形状のブロック２６に固定され、ブロック２６は例えば図示しないエア式のチャックシリンダ（開閉駆動手段）の開閉アーム（図示せず）に固定されている。
【００２７】
チャックシリンダ（図示せず）は例えば進退可能なエア式の水平な駆動シリンダ（進退駆動手段）のロッドに連結されて端子並び方向に進退自在となっている。水平な駆動シリンダを垂直な駆動シリンダやボールねじ・モータ等の昇降方向の進退駆動手段でチャックシリンダごと高さ方向に昇降可能としてもよい。水平な駆動シリンダに代えてボールねじとモータ等の進退駆動手段を用いることも可能である。また、チャックシリンダを固定式とし、接続箱主体部２をレール上に進退自在に配置することも可能である。端子配列矯正治具２４の駆動機構については後述する。
【００２８】
一対の杆部２５と開閉駆動手段と端子並び方向の進退駆動手段及び／又は端子長手方向（昇降方向）の進退駆動手段とで端子配列矯正装置（図示せず）が構成される。回路基板組立体３は例えば吸引手段や把持手段等で水平に持ち上げてケース４内に自動供給可能である。
【００２９】
図１の如く一対の杆部２５がケース４の切欠孔２３の手前で左右に開いて位置した状態から、水平な駆動シリンダを伸長させて、図２の如く一対の杆部２５を切欠孔２３からケース４内に雄端子並び方向（矢印Ａ方向）に前進させる。一対の杆部２５は雄端子８，９の並び直交方向両側すなわちタブ状の端子８で言えば板厚方向両側面に沿って非接触で位置する。一対の杆部２５は各雄端子８，９を境にして各雄端子８，９の両側に離間して位置する。図３の如く一対の杆部２５は雄端子８，９の突出基部側から長手方向中間部にかけて位置し、一対の杆部２５の上側に雄端子８，９の先端側の部分が突出して位置する。
【００３０】
図４の如く、一対の杆部２５が全ての雄端子８，９をカバーした（全ての雄端子の両側に非接触で位置した）時点で、チャックシリンダを閉じることで、一対の杆部２５が閉じて各雄端子８，９を両側から挟む。これにより、各雄端子８，９の並び直交方向の倒れ（傾き）が矯正され、全ての雄端子８，９が垂直に位置する。図４に対応する一対の杆部２５の閉じ状態を図５に示す。なお、図２〜図５においては回路基板組立体３の図示を省略している。
【００３１】
一対の杆部２５で各雄端子８，９を把持した状態で、図６〜図７の如く、回路基板組立体３をケース４の収容凹部６に組み付ける。各雄端子８，９は一対の杆部２５で倒れなく一列に整列しているから、回路基板１３の各孔部に干渉なくスムーズに挿通される。
【００３２】
各雄端子８，９が回路基板６の孔部１７に挿入された時点で、チャックシリンダを開くことで、図８〜図９の如く一対の杆部２５が開き、次いで水平な駆動シリンダを圧縮して、一対の杆部２５を開いた状態で後退させる。
【００３３】
図１０〜図１１の如く、一対の杆部２５がケース４の切欠孔２３から外部に引き出された状態で、回路基板組立体３を下向きに押し込むことで、各雄端子８，９がコネクタ１１内に位置ずれなく正確に挿入されて、コネクタ１１内の雌端子１５に正確な接圧で確実に接触する。雌端子１５（図１１）は可撓性の係止ランス２８で絶縁樹脂製のハウジング１４の端子収容室内に係止されている。回路基板組立体３はビス２９で中間カバー７のボス部１６に締付固定される。中間カバー７はケース４内の係止突起３０で周縁を係止されている。ケース４には回路基板組立体３の上からカバー（図示せず）が装着され、電気接続箱１が完成する。カバーの一部で切欠孔２３を塞ぐことが可能である。
【００３４】
雄端子８，９は雌端子１５を介して回路基板組立体３と接続されると共に、ケース４内のバスバー等の回路やヒューズ装着部５のヒューズを介してコネクタ３１等から電源や負荷側の外部ワイヤハーネス等（図示せず）に接続される。
【００３５】
図１０において完成した電気接続箱１は組立装置の外部に払い出され、次の接続箱主体部２（図１）が組立装置にセットされて、図１〜図１０の各行程で雄端子８，９の配列矯正が行われる。
【００３６】
なお、上記実施形態においては、一対の杆部２５を側方から水平方向にケース４内に進入させたが、ケース４の上方から各雄端子８，９の長手方向に沿って端子先端から基端に向けて一対の杆部２５をケース４内に進入させるようにしてもよい。この場合もケース４は前例同様の切欠孔２３を有する。また、ケース４の収容凹部６の周囲の壁部１９が高い場合には切欠孔２３に代えて矩形状の孔部を貫通形成してもよい。その場合はケース４内への一対の杆部２５の進入動作は水平方向に限定される。切欠孔２３や孔部の形状は矩形状に限定されるものではなく、例えば杆部２５の断面が半円状の場合は長孔等にすることも可能である。
【００３７】
また、上記した端子配列矯正治具２４及び端子配列矯正方法は電気接続箱以外でも例えば回路基板における各雄端子８，９に相手側コネクタ（相手側ユニット）の雌端子を接続させる場合や、各雄端子８，９をコネクタハウジング（相手側ユニット）内に挿入させてコネクタを構成させる場合等においても適用可能である。
【００３８】
また、一対の杆部２５の先端部内側にテーパ状のガイド面（図示せず）を設けて、雄端子８，９に対する一対の杆部２５の水平方向の進入動作をスムーズに行わせたり、あるいは一対の杆部２５の下端部内側にテーパ状のガイド面（図示せず）を設けて、雄端子８，９に対する一対の杆部２５の垂直方向の進入動作をスムーズに行わせることも可能である。これらの場合は、テーパ状のガイド面を設けない場合に較べて一対の杆部２５の開き距離を小さく設定することができ、切欠孔２３等の小型化と端子配列矯正の迅速化を図ることができる。
【００３９】
また、本実施形態は電気接続箱１の組立途中における端子８，９の配列矯正について述べたが、例えば組立完了後の電気接続箱の各雄端子に外部ユニット（相手側ユニット）や外部コネクタ等（相手側ユニット）を接続させる際に上記端子配列矯正治具や端子配列矯正方法を用いることも可能である。また、図１１の中間カバー７の雄端子挿通部１８の孔やスリットが狭い場合には、上記端子配列矯正治具を用いて中間カバー７の装着を雄端子８，９との引っ掛かり等なくスムーズに行うことができる。
【００４０】
また、上記実施形態においては複数の雄端子８，９の配列を矯正する場合について述べたが、一対の杆部２５の開きを上記よりも大きくすれば、複数の雌端子（図示せず）の配列矯正を行うことも可能であり、雄端子と雌端子の垂直な各基板部を同時に一対の杆部２５で把持するようにすれば、一列の雄端子と雌端子とを同時に配列矯正させることも可能である。
【００４１】
また、整列する端子８，９は一列に限らず段差を介して二列に配列した場合においても例えば一対の杆部２５をクランク状に屈曲形成することで、二列の端子の配列矯正を同時に行わせることができる。また、一対の杆部２５のうちの何れか一方に、各端子８，９の並び方向の隙間に進入する矯正凸部を端子と同ピッチで複数設ければ、各端子８，９の並び方向の倒れをも矯正することができる。
【００４２】
また、例えば図１を９０゜反転させた状態で端子配列矯正を行わせる、すなわち各雄端子８，９を垂直ではなく水平に位置させ、一対の杆部２５を左右ではなく上下に配置して端子配列矯正を行わせることも可能であり、あるいは図１を１８０゜反転させた状態で端子配列矯正を行わせる（接続箱主体部２の下側に各雄端子８，９を垂直に垂下させ、一対の杆部２５の配置はそのままで、各雄端子２５の下側から回路基板組立体３をケース４に装着する）ことも可能である。
【００４３】
また、上記実施形態においては各雄端子８，９を一対の杆部２５で挟むことを提案したが、回路基板１３の雄端子挿通孔１７の大きさやコネクタ１１内の雌端子１５の弾性接触部１５ａの許容撓み代が大きな場合は、必ずしも各雄端子８，９を一対の杆部２５で挟む必要はなく、雄端子挿通孔１７や雌端子１５内に挿入できる雄端子８，９の倒れの最大許容値を満たすように、倒れた雄端子のみを一対の杆部２５の何れか一方でほぼ垂直に矯正し、倒れていない雄端子には一対の杆部２５を接触させないように、あるいは弱く接触させるように一対の杆部２５の開き量をチャックシリンダのストッパ等で調整することも可能である。雄端子８，９の倒れ方向（板厚方向の右に倒れるか左に倒れるか）は雄端子ごとに違うから、左右一対の杆部２５は必須である。一対の杆部２５の開き量を調整可能とすることで、各種寸法（板厚や長さ）の端子８，９に対応することができる。
【００４４】
一対の杆部２５を開閉できないような構成とした場合には、図１で一対の杆部２５の先端部内側ないし下端部内側に、各雄端子８，９を一対の杆部２５内にスムーズに挿入させるためのテーパ状のガイド面（図示せず）を形成することが有効である。一対の杆部２５を開閉自在とし、一対の杆部２５で各雄端子８，９を挟むように構成することで、各雄端子８，９の真直度（矯正精度）を高めることができるのは勿論である。
【００４５】
図１２〜図１３は上記端子配列矯正治具２４の駆動機構（手段）の一実施形態を示すものである。
一対の杆部２５の基端部分は各ブロック２６’に固定され、各ブロック２６’に水平方向の左右の各ラック３２が固定され、各ラック３２に各ピニオンギヤ３３が歯合し、両ギヤ３３は相互に歯合し、一方のギヤ３３に正逆回転モータ３４のギヤが連結され、モータ３４の回転で両ギヤ３３が反対方向に回転して各杆部２５を開閉させる。
【００４６】
各ラック３２はフレーム３５の前壁の水平な溝３６にスライド自在に係合し、フレーム３５の底部にスライダ３７が固定され、スライダ３７は台座３８の前後方向のガイド溝３９にスライド自在に係合し、フレーム３５は水平なシリンダ４０で台座３８上を進退駆動される。
【００４７】
図１２〜図１３の駆動機構はあくまでも一例であり、例えばモータ３４のギヤの前後に各ラックを歯合させてもよく、あるいは一つ又は二つのカム（図示せず）に沿って一対の杆部２５の基端側の従動子（図示せず）をスライド係合させたりすることも可能である。進退用のシリンダ４０は長いストロークを得るべく二段式としてもよい。
【００４８】
【発明の効果】
以上の如く、請求項１記載の発明によれば、一対の杆部で各端子の並び直交方向の倒れが矯正され、例えばコネクタハウジング内への各端子の挿入や、コネクタ内の相手端子への各端子の挿入や、回路基板の端子挿通孔への各端子の挿入が引っ掛かりや干渉等なくスムーズ且つ正確に行われ、端子の挿入品質や電気的接続の信頼性が向上する。
【００４９】
請求項２記載の発明によれば、例えば各種形状大きさの端子に応じて一対の杆部の間隔を自在に調整することができ、各種端子に対する汎用性を高めることができる。
【００５０】
請求項３記載の発明によれば、一対の杆部のガイド面によって各端子と杆部との突き当たりや引っ掛かりが防止され、端子配列矯正がスムーズ且つ確実に行われる。
【００５１】
請求項４記載の発明によれば、各駆動手段で一対の杆部を開閉及び進退させることで、各端子の配列矯正を自動で効率よく且つ確実に行わせることができる。
【００５２】
請求項５記載の発明によれば、接続箱本体に治具挿通部を設けたことで、接続箱本体内の例えば収容凹部内の各端子の配列を杆部の一方向（杆部長手方向又は杆部長手直交方向）の進入動作で確実に且つ効率的に矯正することができ、各端子に相手側コネクタ等をスムーズ且つ確実に接続等させることができる。また、杆部の形状も直線的でよく、治具形態が簡素化・低コスト化される。
【００５３】
請求項６記載の発明によれば、複数のタブ状（平板状）端子の板厚方向の倒れ矯正を一対の杆部で同時に行うことができる。一対の杆部の形状もタブ端子の両面に接する部分を有していればよく、例えば真直なピン等の簡単な形状とすることができ、治具形態が簡素化・低コスト化される。
【００５４】
請求項７記載の発明によれば、一対の杆部に各端子を挿入させるだけの一つのい動作で端子の倒れ矯正を迅速に効率良く行うことができ、例えば電線接続箱の各端子にコネクタ等の相手ユニットを確実に接続させることができる。
【００５５】
請求項８記載の発明によれば、一対の杆部で各端子を例えば一括して挟むことにより、端子の倒れを精度良く矯正することができ、相手ユニットに対する端子の挿入性や接続性が向上する。
【００５６】
請求項９記載の発明によれば、例えばコネクタや回路基板等を含む相手側ユニットが各端子に引っ掛かり等なくスムーズ且つ確実に初期係合して、相手側ユニットの組付性が向上する。また、一対の杆部が離脱時に開くから、各端子の摺接による傷付きや離脱方向の倒れの発生が防止される。
【００５７】
請求項１０記載の発明によれば、電気接続箱に相手側ユニットをスムーズ且つ確実に効率よく装着することができ、電気接続箱の組立性や電気接続箱への外部ユニットの組付性が向上する。
【図面の簡単な説明】
【図１】本発明に係る端子配列矯正治具と端子配列矯正可能な電気接続箱の一実施形態及び端子配列矯正方法と端子挿入方法の第一行程を示す分解斜視図である。
【図２】端子配列矯正方法及び端子挿入方法の第二行程を示す斜視図である。
【図３】同じく第二行程を示す一部を縦断面とした要部正面図である。
【図４】端子配列矯正方法及び端子挿入方法の第三行程を示す斜視図である。
【図５】同じく第三行程を示す一部を縦断面とした要部正面図である。
【図６】端子配列矯正方法及び端子挿入方法の第四行程を示す斜視図である。
【図７】同じく第四行程を示す一部を縦断面とした要部正面図である。
【図８】端子配列矯正方法及び端子挿入方法の第五行程を示す斜視図である。
【図９】同じく第五行程を示す一部を縦断面とした要部正面図である。
【図１０】端子配列矯正方法及び端子挿入方法の第六行程を示す斜視図である。
【図１１】同じく第六行程を示す一部を縦断面とした要部正面図である。
【図１２】端子配列矯正治具の駆動手段の一実施形態を示す分解斜視図である。
【図１３】同じく端子配列矯正治具の駆動手段の要部を示す平面図である。
【図１４】従来の電気接続箱の一形態を示す分解斜視図である。
【符号の説明】
１      電気接続箱
２      接続箱本体
８，９  雄端子（端子）
１９    壁部
２３    切欠孔（挿通部）
２４    端子配列矯正治具
２５    杆部
【図１】
2004357461.tif 000003
【図２】
2004357461.tif 000004
【図３】
2004357461.tif 000005
【図４】
2004357461.tif 000006
【図５】
2004357461.tif 000007
【図６】
2004357461.tif 000008
【図７】
2004357461.tif 000009
【図８】
2004357461.tif 000010
【図９】
2004357461.tif 000011
【図１０】
2004357461.tif 000012
【図１１】
2004357461.tif 000013
【図１２】
2004357461.tif 000014
【図１３】
2004357461.tif 000015
【図１４】
2004357461.tif 000016